(57)【要約】  懸架装置（Ａ）は、２つの対向する半径方向ピン（２１）を含み、容器本体（１０）の外周リブ（１４）に対して上昇可能に装着され係止されるリング（２０）と、半径方向ピン（２１）に連結され、非作動位置と作動位置との間で角度変位される端部（３１）を有するＵ字形ハンドル（３０）とによって形成される。リング（２０）は、ハンドル（３０）を非作動位置で保持する係止手段（４０）を含む。ハンドル（３０）の各端部（３１）は貫通開口部（３３）を有し、貫通開口部（３３）は、半径方向ピン（２１）を支持し、ハンドル（３０）が非作動位置にある状態およびハンドル（３０）が非作動位置から作動位置に角度変位する状態の両方において、ハンドル（３０）の延長部に交差する方向に半径方向ピンをしっかりと支持するのに十分な前記方向の幅と、半径方向ピン（２１）を支持するのに十分なハンドル（３０）の長手方向の長さとを有する。
2013534882.tif 000002
【特許請求の範囲】
【請求項１】
周囲側壁（１１）と上端（１２）と外周リブ（１４）とを有する本体（１０）を備える容器用の懸架装置にして、１組の外側の対向する半径方向ピン（２１）を含み、本体（１０）の周囲の外周リブ（１４）に上昇可能に装着され係止されるリング（２０）と、中央部（３２）および半径方向ピン（２１）を中心として本体（１０）の側方にある非作動位置と本体（１０）の上方に配置された上昇作動位置との間で変位されるように半径方向ピン（２１）の周囲にそれぞれ連結される端部（３１）を有するＵ字形ハンドル（３０）とによって形成される懸架装置（Ａ）であって、リング（２０）は、ハンドル（３０）の隣接部分に作用して、非作動位置でハンドル（３０）を固定する係止手段（４０）を含み、ハンドル（３０）の各端部（３１）は、それぞれの半径方向ピン（２１）が支持される貫通開口部（３３）を備え、前記貫通開口部（３３）は、ハンドル（３０）が非作動位置で係止手段（４０）によって固定される状態およびハンドル（３０）が非作動位置から作動位置に角度変位する状態の両方において、ハンドル（３０）の延長部に交差する方向に半径方向ピン（２１）をしっかりと支持するのに十分な前記方向の幅と、半径方向ピン（２１）を支持するのに十分なハンドル（３０）の長手方向の長さとを有することを特徴とする、懸架装置。
【請求項２】
ハンドル（３０）の中央部（３２）が貫通孔（３２ａ）を備え、係止手段（４０）は係止ピン（２５）を備え、係止ピン（２５）は、リング（２０）の半径方向外側に一体化し、拡大頭部（２５ａ）を備え、ハンドル（３０）および係止ピン（２５）の拡大頭部（２５ａ）で形成される部品の少なくとも一方の弾性変形によって、中央部（３２）の貫通孔（３２ａ）に嵌め込まれてハンドル（３０）を非作動位置で係止することを特徴とする、請求項１に記載の懸架装置。
【請求項３】
係止手段（４０）が、リング（２０）の上方外側に一体化し、端部下方突出部（２６ａ）を有する半径方向突出部（２６）を備え、ハンドル（３０）の中央部（３２）は、ハンドル（３０）の非作動位置で半径方向突出部（２６）の下に嵌め込まれて係止されることを特徴とする、請求項１に記載の懸架装置。
【請求項４】
ハンドル（３０）の各端部（３１）の貫通開口部（３３）が、互いに平行で直線状の対向側縁（３３ａ）を有し、それぞれの半径方向ピン（２１）の断面の対向領域はこの側縁（３３ａ）にしっかりと嵌合され、前記貫通開口部（３３）はさらに外側端縁（３３ｂ）を有し、ハンドル（３０）が作動位置にあって容器を懸架している時に、それぞれの半径方向ピン（２１）はこの外側端縁（３３ｂ）に嵌合されることを特徴とする、請求項１〜３のいずれか一項に記載の懸架装置。
【請求項５】
それぞれの半径方向ピン（２１）が、貫通開口部（３３）の幅より大きい輪郭の拡大頭部（２２）を含み、貫通開口部（３３）のそれぞれは、外側端縁（３３ｂ）の反対側の内側端部で、半径方向ピン（２１）の拡大頭部（２２）を通すことができる寸法の輪郭を有する拡大孔（３４）に向かって開口している内側端部を有することを特徴とする、請求項４に記載の懸架装置。
【請求項６】
ハンドル（３０）の各端部（３１）の貫通開口部（３３）が、互いに平行で直線状の対向側縁（３３ａ）を有し、それぞれの半径方向ピン（２１）は、２つの第１の面（２１ａ）を含む多角形断面を有し、第１の面（２１ａ）は、リング（２０）の軸方向に沿って互いに対向する面で、ハンドル（３０）が非作動位置にある時に、それぞれの貫通開口部（３３）の対向側縁（３３ａ）の１つにそれぞれしっかりと嵌合され、それぞれの半径方向ピン（２１）の第１の面（２１ａ）は、ハンドル（３０）を非作動位置で固定する係止手段（４０）を形成することを特徴とする、請求項１に記載の懸架装置。
【請求項７】
それぞれの半径方向ピン（２１）の多角形断面がさらに、２つの第２の面（２１ｂ）を備え、第２の面（２１ｂ）は、リング（２０）の軸方向と直交する方向に沿って互いに対向する面で、ハンドル（３０）が作動位置にある時に、それぞれの貫通開口部（３３）の対向側縁（３３ａ）の１つにそれぞれしっかりと嵌合され、それぞれの半径方向ピン（２１）の第２の面（２１ｂ）は、ハンドル（３０）を作動位置で固定する係止手段（４０）を形成することを特徴とする、請求項６に記載の懸架装置。
【請求項８】
ハンドル（３０）の各端部（３１）の貫通開口部（３３）が、さらに外側端縁（３３ｂ）を有し、ハンドル（３０）が作動位置にあって、容器を懸架している時に、それぞれの半径方向ピン（２１）の多角形断面の第１の面の１つが外側端縁（３３ｂ）に嵌合されることを特徴とする、請求項６または７に記載の懸架装置。
【請求項９】
半径方向ピン（２１）の多角形断面が正方形であること、および貫通開口部（３３）の外側端縁（３３ｂ）は直線状であり対向側縁（３３ａ）と直交することを特徴とする、請求項８に記載の懸架装置。
【請求項１０】
それぞれの半径方向ピン（２１）が、貫通開口部（３３）の幅より大きい輪郭の拡大頭部（２２）を含み、貫通開口部（３３）のそれぞれは、外側端縁（３３ｂ）の反対側の内側端部で、半径方向ピン（２１）の拡大頭部（２２）を通すことができる寸法の輪郭を有する拡大孔（３４）に向かって開口している内側端部を有することを特徴とする、請求項８または９に記載の懸架装置。
【請求項１１】
貫通開口部（３３）の対向側縁（３３ａ）がそれぞれ、半径方向ピン（２１）がそれぞれの貫通開口部（３３）の拡大孔（３４）に向かって自由に変位するのを制限するために突出部３６を備えることを特徴とする、請求項５または１０に記載の懸架装置。
【請求項１２】
リング（２０）が、上縁（２０ａ）であって、上向きであり前記上縁（２０ａ）に対して引っ込んだ状態の内側環状段部（２７）を形成するように、また本体（１０）の外周リブ（１４）に対して上昇可能に装着され係止されるように切り取られた上縁（２０ａ）と、下縁（２０ｂ）であって、下向きであり前記下縁（２０ｂ）に対して引っ込んだ状態の外側環状段部（２８）で、リング（２０）の積み重ねの中ですぐ下に配置された他のリング（２０）の内側環状段部（２７）に嵌合される外側環状段部（２８）を形成するように切り取られた下縁（２０ｂ）と、を備えることを特徴とする、請求項１〜１１のいずれか一項に記載の懸架装置。
【請求項１３】
外周リブ（１４）が、容器本体（１０）の上縁（１２）から軸方向に離して、本体（１０）の周縁領域を変形させることで形成されることを特徴とする、請求項１〜１２のいずれか一項に記載の懸架装置。
【請求項１４】
本体（１０）が周囲側壁（１１）の上縁（１２）に周囲が二重巻締めされた上壁（１０ａ）を備え、外周リブ（１４）は、前記本体（１０）の周囲側壁（１１）に対して上壁（１０ａ）を二重巻締めすることによって形成されることを特徴とする、請求項１〜１２のいずれか一項に記載の懸架装置。
【発明の詳細な説明】
【技術分野】
【０００１】
本発明は、例えば、円筒形または多角形の底を有する角柱状であり、容器の上壁と側壁との間の二重巻締めによって、または容器の上縁に近い領域で前記側壁を変形させることによって形成された半径方向突出外周リブを備える金属缶のような複数の容器に使用できる懸架装置に関する。
【背景技術】
【０００２】
上述のような容器に適用される懸架装置は、先行技術から周知である。前記装置は、容器本体の周囲に付けられ容器の外周リブに対して軸方向に上昇可能に装着され係止されるリングと、リングの正反対領域に端部が取り付けられて、リングと実質的に同一平面上の位置をとる非作動位置と、上昇してリングの装着面と略垂直になる作動位置との間で変位可能な少なくとも１つの略Ｕ字形ハンドルとを備える。
【０００３】
ハンドルは、非作動位置では、ほぼ周囲の２分の１に相当する容器本体の側方延長部の側方外側に位置決めされる。作動位置では、ハンドルは、容器の直径方向に位置決めされ、使用者の手をハンドルの下に入れられるように、ひいては上蓋をした状態で、または上蓋をしない状態で容器を懸架するのに十分な垂直方向の隙間を有するように位置決めされる。
【０００４】
いくつかの周知の構造において、ハンドルは、リングと一体になる両端部を有し、その接合領域は、弾性変形によって非作動位置と作動位置との間のハンドルの角度運動が可能になるように設けられる。このタイプの構造は、ブラジル特許出願第ＰＩ９７００１２８−７号明細書およびブラジル実用新案第ＭＵ８０００９３５−２号明細書に開示されている。特許出願第ＰＩ９７００１２８−７号明細書に記載されている構造は、２つの正反対の位置にあるハンドルを有する。
【０００５】
一体構造の懸架装置は、一般に、弾性変形可能なプラスチック材料で成形されるので、正反対の曲げ領域で互いに接合されるリングとハンドルを一体部品として製造することができる大型の金型が必要であり、複雑で、かつコストのかかるという問題点がある。曲げ領域または弾性変形領域は、リングとハンドルとの接合を破断させるほどのせん断力を受けることが多い。この周知の一体構造では、懸架ロッドの移動時に変形される接合領域には負荷限界があり、またリングとハンドルを異なる材料で製造することができない。
【０００６】
また、リングとハンドルが別個の部品であり、ハンドルが非作動位置と作動位置との間で移動できるように、ハンドルの両端が容器本体の対向領域でリングに連結される構造の懸架装置も周知である。この構造の例は、米国特許第３０９３２５７号明細書およびブラジル実用新案第ＭＵ７４９０２４４２−６号明細書に示されている。
【０００７】
これらの別個の部品を使用する構造では、リングおよびハンドルの一方の部品が１組の連結半径方向ピンを有し、このピンが他方の部品に設けられた各々のハウジングに嵌め込まれて支持される。
【０００８】
別個の部品のハンドルを有する構造では、一体部品構造における問題点を解消し、強度限界をなくすことができるが、この構造の場合も、ハンドルがリングの面とほぼ同一平面上にありリングの周囲延長部に外接するハンドルの非作動位置ではハンドルを確実に保持することができないという問題点や、前記容器本体の上縁領域から軸方向に離間した容器本体の周囲領域にリングを取り付けることができないという問題点がある。
【０００９】
非作動位置でハンドルを保持するための保持手段がないと、容器の充填ラインでの移動時に前記ハンドルが意図せず不本意に作動位置に向かって上方に移動してしまい、前記充填ラインを止めてしまう可能性があるという別の問題が生じる。
【００１０】
これらの周知の解決策も、上昇した作動位置でハンドルを固定した状態で維持するようにハンドルに作用する保持手段を設けるものではない。これらの解決策では、ハンドルが使用者によって上昇した作動位置で解除されると、ハンドルは重力によって容器本体の側方の位置まで下降する傾向がある。この位置は、非作動位置と正反対の位置であり、保持手段がハンドルに作用してこの状態でハンドルを保持する可能性がある。
【００１１】
本発明の懸架装置の構造において考えられる他の態様は、前記装置を容器本体の周囲に取り付ける機械のマガジンへの前記装置の供給である。この状況では、各々の懸架装置を個々に解除できるように、懸架装置はマガジン内で安定して積み重ねられなければならない。周知の解決策は、この問題について言及していない。
【００１２】
リングを容器の上縁から離間して取り付けることができないため、上縁の仕上げが不十分なためにリングを保持する外周リブを形成することができない容器に、この一体構造体を取り付けることはできない。これらの場合、外周リブは容器本体の上縁から軸方向に離間した領域に形成されるので、容器の上部領域がハンドルの角度変位経路を阻害するために（または妨げるために）、ハンドルが作動位置に来ることができない、または前記作動位置にある時に、容器の上壁からほとんど離間しない状態のままになるので、操作しにくくなり、さらには使用者の手でハンドルを十分に握ることができなくなる。
【先行技術文献】
【特許文献】
【００１３】
【特許文献１】ブラジル特許出願第９７００１２８号明細書
【特許文献２】ブラジル実用新案第８０００９３５号明細書
【特許文献３】米国特許第３０９３２５７号明細書
【特許文献４】ブラジル実用新案第７４９０２４４２号明細書
【発明の概要】
【発明が解決しようとする課題】
【００１４】
一体部品または別個の部品である周知の解決策の問題点に応じて、本発明の目的の１つは、単純でコスト効率の良い構造の２部品から成る懸架装置で、容器に容易に取り付けることができ、容器の外周リブと上縁との間の軸方向間隔に関係なく、ハンドルを非作動位置で確実に維持することができると同時に、容器の上壁から十分に離間した作動位置に確実に持ってくることができる懸架装置を提供することである。
【００１５】
さらに、本発明の目的は、上述の懸架装置で、ハンドルを容器の上方に上昇した作動位置で確実に固定できる懸架装置を提供することである。
【課題を解決するための手段】
【００１６】
すでに上述したように、本発明の装置は、周囲側壁と上端と外周リブとを備えた本体を有する容器に使用できる。本発明の装置は、２つの対向する半径方向外側ピンを含み、本体の周囲の外周リブに上昇可能に装着され係止されるリングと、中央部およびそれぞれ半径方向ピンの１つに連結される端部を有するＵ字形ハンドルとによって形成される。前記ハンドルは、半径方向ピンを中心として、本体の側方および外側にある非作動位置と、本体の上方に配置された上昇作動位置との間で角度変位される。
【００１７】
本発明によれば、さらにリングは、外側に、ハンドルの隣接部分に作用して、非作動位置でハンドルを固定する係止手段を含み、ハンドルの各端部は、それぞれの半径方向ピンが支持される貫通開口部を備え、前記貫通開口部は、ハンドルが非作動位置で係止手段によって固定される状態およびハンドルが非作動位置から作動位置に角度変位する状態の両方の場合に、ハンドルの延長部に交差する方向に半径方向ピンをしっかりと支持するのに十分な前記方向の幅と、半径方向ピンを支持するのに十分なハンドルの長手方向の長さとを有する。
【００１８】
本明細書で提案されている構造により、異なる材料で構成された２つの構成部品を有することができ、ハンドルが非作動位置と作動位置との間で正確に角度移動するのを妨げることなく、容器本体の上縁から離間した位置でリングを容器本体に保持できる懸架装置が得られる。
【００１９】
係止手段を設けることにより、ハンドルは、容器上方に上昇した作動位置に向かって意図せずに不本意に変位される危険性がなく、非作動位置でしっかりと保持される。
【００２０】
本発明を実施する方法では、係止手段は、ハンドルの非作動位置だけでなく上昇作動位置においてもハンドルに作用する構造であり、ハンドルを上昇位置でも固定できる。
【００２１】
本発明を実施する別の可能な方法によれば、リングは上縁と下縁とを有し、上縁と下縁は、リングを容器本体の外周リブに正確に上昇可能に装着できるだけでなく、懸架装置を容器本体に取り付ける機械のマガジンにリングを安定して積み重ねることができる構造である。
【００２２】
本発明を、本発明の懸架装置の可能な実施形態の例として、添付図面を参照しながら説明する。
【図面の簡単な説明】
【００２３】
【図１】上部二重巻締めと蓋が外されているが、ハンドルの係止手段の第１の実施形態の構造の装置がすでに取り付けられた容器の部分上面図である。
【図１Ａ】図１の構造で使用されるハンドルの部分正面図であり、ハンドルの端部それぞれの貫通開口部の中で、ハンドルが非作動位置と作動位置との間で移動される時に貫通開口部を半径方向ピンに対して変位させなければならない時のハンドルの非作動位置と作動位置とに対応する半径方向ピンそれぞれの断面および相対位置を破線で示した部分正面図である。
【図２】図１の線ＩＩ−ＩＩに沿った容器断面で、ハンドルの連結半径方向ピンが含まれる容器の上部のみを示した直径方向部分断面図である。
【図３】図１の線ＩＩＩ−ＩＩＩに沿った容器断面で、ハンドルを保持するための半径方向外側ピンの形の係止手段が含まれる容器の上部のみを示した部分断面図である。
【図４】ハンドルが非作動位置にある図１、図２、図３の容器の部分側面図である。
【図５】ハンドルが作動位置にある図１、図２、図３の容器の部分側面図である。
【図６】上部二重巻締めと蓋が外されているが、ハンドルの係止手段の第２の実施形態の構造の装置がすでに取り付けられた容器の部分上面図である。
【図７】図６の線ＶＩＩ−ＶＩＩに沿った容器断面で、ハンドルを保持するための半径方向突出部の形の係止手段が含まれる容器の上部のみを示した直径方向部分断面図である。
【図８】上部二重巻締めと蓋が外されているが、ハンドルの係止手段の第３の実施形態の構造の装置がすでに取り付けられた容器の部分上面図である。
【図８Ａ】図８の構造で使用されるハンドルであり、ハンドルの端部の一方の貫通開口部の中で、ハンドルが非作動位置と作動位置との間で移動される時のハンドルの非作動位置と作動位置とに対応する半径方向ピンそれぞれの断面および相対位置を破線で示した部分正面図である。
【図８Ｂ】図８および図８Ａのハンドルの端部であり、ハンドルが非作動位置にある時のそれぞれの半径方向ピンの中央横方向断面の斜視図である。
【図９】ハンドルが非作動位置にある時の係止手段の第３の実施形態を有する装置を示した容器の部分側面図である。
【図１０】ハンドルが作動位置にある時の係止手段の第３の実施形態を有する装置を示した容器の部分側面図である。
【図１１】図２および図７と同様の容器断面であり、周囲が側壁に対して二重巻締めされた環状上壁を備え、ハンドルの係止手段の３つの実施形態のうちのいずれかの構造を有する懸架装置が取り付けられている容器の部分直径方向断面図である。
【図１２】懸架装置を容器本体に取り付ける機械のマガジンに供給される前記懸架装置の積み重ねの部分直径方向断面図である。
【発明を実施するための形態】
【００２４】
すでに上述したように、また図面に示されるように、本発明の懸架装置は、通常は円筒形または多角形の底を有する角柱状の金属板または任意の他の適切な層状材料で形成された本体１０を備える容器に使用できる。
【００２５】
本体１０は、１つの円筒状面のみ、または多角形輪郭の複数の面を有し、上方は上縁１２、下方は下縁（図示せず）を境界とする周囲側壁１１を含む。
【００２６】
周囲側壁１１は外周リブ１４を含み、外周リブ１４は、容器の本体１０の上縁１２から軸方向に離間した状態に本体１０の周囲側壁１１の周縁領域を変形させることで形成できる。この容器の構造の変形形態が、添付図面の図１〜図１０に示されている。
【００２７】
図１１は、上壁１０ａを備えた容器の構造を示しており、この例では、上壁１０ａは蓋（図示せず）を装着するための座部を形成するように環状である。上壁１０ａは、周囲側壁１１の上縁１２に周囲が二重巻締めされ、周囲側壁１１に対する上壁１０ａの前記二重巻締め部分が本体１０の外周リブ１４を形成する。
【００２８】
本発明の懸架装置Ａは、リング２０で形成されるタイプの懸架装置である。リング２０は、好ましくは、図２〜図５および図９〜図１１に示されるように、容器本体１０の外周リブ１４に上昇可能に装着して係止できるように、連続体であり、プラスチック材料、または容器本体１０の周囲に比較的きつく取り付けることができるベルトの形の要素となり得る任意の他の材料で形成される。
【００２９】
図２、図３、図７、および図９〜図１２に示されるように、リング２０は、上縁２０ａであって、上向きであり前記上縁２０ａに対して引っ込んだ状態の内側環状段部２７を形成するように、また本体１０の外周リブ１４に対して上昇可能に装着され係止されるように切り取られた上縁２０ａと、下縁２０ｂであって、下向きであり前記下縁２０ｂに対して引っ込んだ状態の外側環状段部２８で、リング２０の積み重ねの中ですぐ下に配置された他のリング２０の内側環状段部２７に嵌合される外側環状段部２８を形成するように切り取られた下縁２０ｂと、を備える。この構造により、マガジンでのリングの積み重ねの安定性を保証し、容器本体への装置の取り付けを容易にする。
【００３０】
リング２０は、外側の反対領域に、通常は一体部品として、２つの半径方向ピン２１を含む。半径方向ピン２１はそれぞれ、拡大頭部２２を備えるのが好ましい。
【００３１】
懸架装置Ａはさらに、プラスチックなどの任意の適切な材料で形成され、それぞれ半径方向ピン２１に連結される端部３１と中央部３２とを備える略Ｕ字形ハンドル３０を備える。ハンドルは、２つの半径方向ピン２１と共通の軸を中心として、容器およびリングの周囲のほぼ２分の１に相当する容器本体１０およびリング２０の側方延長部の側方外側に位置決めされる非作動位置と、容器の上方に位置決めされる作動位置との間で角度変位される。ハンドルの作動位置は、図４、図５、図９、図１０に示されている。
【００３２】
本発明によれば、リング２０はさらに、外側に、ハンドル３０の隣接部に作用してハンドル３０を非作動位置で固定する係止手段４０を含む。係止手段４０は、意図せずにハンドル３０が非作動位置から上昇作動位置に変位されるのを防ぐ。
【００３３】
図１〜図５に示される第１の実施形態の構造によれば、ハンドル３０の中央部３２（拡幅されるのが好ましい）は貫通孔３２ａを備え、係止手段４０は係止ピン２５を備える。係止ピンは、リング２０の半径方向外側に含まれ、拡大頭部２５ａを備え、ハンドル３０および係止ピン２５の拡大頭部２５ａで形成される部品の少なくとも一方の弾性変形によって、中央部３２の貫通孔３２ａに嵌め込まれる。この構造により、容器の取り扱い作業時、搬送作業時、充填作業時、および貯蔵作業時にハンドルを非作動位置で確実に係止することができ、ハンドルが意図せずに上昇して前記懸架装置Ａの使用に不都合が生じないようにすることができる。
【００３４】
図６および図７に示され、図１Ａに示されるハンドル３０と同じであるが中央部３２の貫通孔３２ａのないハンドル３０を使用する第２の構造の実施形態によれば、係止手段４０は、半径方向突出部２６を備える。半径方向突出部２６は、リング２０の上方外側にほぼ一体部品として含まれ、好ましくは下降フランジの形の端部下方突出部２６ａを備え、ハンドル３０の中央部３２は、ハンドルの非作動位置で半径方向突出部２６の下に嵌め込まれて保持され、ハンドル３０を非作動位置で確実に係止するための上述した全ての利点が得られる。
【００３５】
ハンドル３０の各端部３１（拡幅されるのが好ましい）は、リング２０のそれぞれの半径方向ピン２１が支持される貫通開口部３３を備える。貫通開口部３３は、ハンドルが非作動位置で係止手段によって固定される状態およびハンドルが非作動位置から作動位置に角度変位する状態の両方において、ハンドル３０の延長部に交差する方向に半径方向ピン２１をしっかりと支持するのに十分な前記方向の幅と、半径方向ピンを支持するのに十分なハンドル３０の長手方向の長さとを有する。
【００３６】
ハンドル３０が非作動位置にある時にハンドル３０の中央部３２に作用するように、係止手段４０が係止ピン２５または半径方向突出部２６の形を取る本発明の第１の実施形態および第２の実施形態において、ハンドル３０の各端部３１の貫通開口部３３は、互いに平行で直線状の対向側縁３３ａを有し、それぞれの半径方向ピン２１の略円形断面の対向領域はこの側縁３３ａにしっかりと嵌合される。
【００３７】
これらの実施形態では、貫通開口部３３はさらに外側端縁３３ｂを有し、図５に示されるようにハンドル３０が作動位置にあって容器を懸架している時に、それぞれの半径方向ピン２１はこの外側端縁３３ｂに嵌合される。
【００３８】
それぞれの半径方向ピン２１は、適切に作動するために、貫通開口部３３の幅より大きい輪郭の拡大頭部２２を含む。貫通開口部３３のそれぞれは内側端部を有し、内側端部は、外側端縁３３ｂの反対側の端部で、通常、半径方向ピン２１の拡大頭部２２および貫通開口部３３の弾性変形が小さい状態で、拡大頭部２２を通すことができる寸法の輪郭を有する拡大孔３４に向かって開口している。
【００３９】
図８〜図１０に示されるような本発明の第３の実施形態によれば、ハンドル３０の各端部３１の貫通開口部３３は、互いに平行で直線状の対向側縁３３ａを有し、それぞれの半径方向ピン２１は、２つの第１の面２１ａを含む多角形断面を有し、第１の面２１ａは、リング２０の軸方向に沿って互いに対向する面で、ハンドル３０が非作動位置にある時に、それぞれの貫通開口部３３の対向側縁３３ａの１つにそれぞれしっかりと嵌合される。この構造で、それぞれの半径方向ピン２１の第１の面２１ａは、貫通開口部３３の対向側縁に嵌合されて、ハンドル３０を非作動位置で固定する係止手段４０を形成する。半径方向ピン２１の多角形断面により、図９に示されるように、ハンドルが非作動位置にある時にハンドル３０を回転可能に係止することができる。
【００４０】
さらに本発明の第３の実施形態によれば、それぞれの半径方向ピン２１の多角形断面は２つの第２の面２１ｂを備えることもできる。第２の面２１ｂは、リング２０の軸方向と直交する方向に沿って互いに対向する面で、図１０に示されるように、ハンドル３０が作動位置にある時に、それぞれの貫通開口部３３の対向側縁３３ａの１つにそれぞれしっかりと嵌合される。この構造では、それぞれの半径方向ピン２１の第２の面２１ｂが、ハンドルの作動位置でもハンドル３０を固定することができる係止手段４０を形成する。
【００４１】
２つの第１の実施形態に関して上述したように、ハンドル３０の各端部３１の貫通開口部３３はさらに外側端縁３３ｂを有し、図１０に示されるように、ハンドル３０が作動位置にあって、容器を懸架している時に、それぞれの半径方向ピン２１の多角形断面の第１の面２１ａの１つが外側端縁３３ｂに嵌合される。
【００４２】
図８〜図１０に示された構造形態では、半径方向ピン２１の多角形断面は正方形であり、貫通開口部３３の外側端縁３３ｂは直線状であり貫通開口部３３の対向側縁３３ａと直交する。
【００４３】
さらに本発明の前記第３の実施形態では、それぞれの半径方向ピン２１は、貫通開口部３３の幅よりも大きい輪郭の拡大頭部２２を含み、貫通開口部３３のそれぞれは内側端部を有し、内側端部は、外側端縁３３ｂの反対側の端部で拡大孔３４に向かって開口しており、拡大孔３４は、通常、半径方向ピン２１の拡大頭部２２を通すことができる寸法の輪郭を有し、この取り付け構造に含まれる部品の少なくとも１つが弾性変形される。
【００４４】
添付図面に示されていないが、外周リブ１４が容器の上縁１２の近くに形成される時（通常、図１１に示されるように、外周リブ１４が本体１０の周囲側壁１１に上壁１０ａを二重巻締めすることで形成される場合）、ハンドル３０の各端部３１の貫通開口部３３の長さは、半径方向ピン２１をしっかりと支持するために半径方向ピン２１の断面に対応する断面の孔を形成するように短くされてもよい。それは、ハンドル３０が、容器の輪郭と接触せずに、主に、容器の上縁１２の輪郭と接触せずに、非作動位置と作動位置との間で角度変位できるからである。
【００４５】
しかし、図１〜図１０に示されるように、外周リブ１４が本体１０の上縁１２から軸方向に離間した本体１０の周囲側壁１１の領域に形成される場合、ハンドル３０の各端部３１の貫通開口部３３は、ハンドル３０が非作動位置と作動位置との間で移動される時に、ハンドルの角度変位の半径を大きくして本体１０の上縁１２との接触を避けるために、ハンドル３０を２つの半径方向ピン２１の軸に対して半径方向に変位することができるようにハンドル３０内の長手方向に配置される楕円形スロットの形をとる。
【００４６】
ハンドル３０の半径方向ピン２１に対する不注意な変位により、前記ピンのいずれかがハンドル３０の端部３１の拡大孔３４それぞれと合致して位置決めされるのを防ぐために、図８Ａに示されるように、それぞれの貫通開口部３３の対向側縁３３ａはそれぞれ、半径方向ピン２１がそれぞれの貫通開口部３３の拡大孔３４に向かって自由に変位するのを制限するために突出部３６を設けることができる。
【００４７】
本明細書には、本発明の懸架装置の３つの構造の実施形態のみを示したが、本明細書に添付した請求項に記載される構造の概念から逸脱せずに、前記懸架装置の構成部品は異なる形態を有するものも可能である。
【図１】
2013534882.tif 000003
【図１Ａ】
2013534882.tif 000004
【図２】
2013534882.tif 000005
【図３】
2013534882.tif 000006
【図４】
2013534882.tif 000007
【図５】
2013534882.tif 000008
【図６】
2013534882.tif 000009
【図７】
2013534882.tif 000010
【図８】
2013534882.tif 000011
【図８Ａ】
2013534882.tif 000012
【図８Ｂ】
2013534882.tif 000013
【図９】
2013534882.tif 000014
【図１０】
2013534882.tif 000015
【図１１】
2013534882.tif 000016
【図１２】
2013534882.tif 000017
【国際調査報告】
2013534882.tif 000018
2013534882.tif 000019
2013534882.tif 000020